(57)【特許請求の範囲】
【請求項１】
装置の表示部であって、
前記装置の装置本体に、前記表示部と、操作部とを備え、
前記表示部が、前記操作部より前記装置の装置本体の上側に設けられ、かつ、前記装置本体より上方からの光でできる影の中に前記表示部が位置するように、前記表示部の直上側に位置する前記装置本体の部位と前記表示部との間がえぐれている構造とし、
前記操作部は、前記えぐれている部分内に配置せず、かつ、前記装置本体の前記表示部の直上側部位によって上方を覆われないように配置して発光表示を行う
ことを特徴とする装置の表示部。
【請求項２】
請求項１の装置の表示部において、前記表示部を、前記装置本体の斜め上を向くように傾斜した部位に配置してなることを特徴とする装置の表示部。
【請求項３】
請求項１の装置の表示部において、前記表示部を上縁側が若干上方に位置する斜め上向き状態に配置してなることを特徴とする装置の表示部。
【請求項４】
請求項１から３の装置の表示部において、表示用にＬＥＤ等の発光体を備えたことを特徴とする装置の表示部。
【請求項５】
請求項１から４のいずれかの装置の表示部を備えたことを特徴とする画像形成装置の操作部。
【請求項６】
請求項１から４のいずれかの装置の表示部を備えたことを特徴とする画像形成装置。
【発明の詳細な説明】
【技術分野】
【０００１】
本発明は、画像形成装置等の装置の表示部と、これを用いた画像形成装置に関する、
【背景技術】
【０００２】
インクジェットプリンタやレーザプリンタ等の表示部では、ＬＥＤの輝度を上げることで視認性を向上させていた。
【０００３】
例えば特許文献１には、太陽光がＬＥＤにあたることを防止する庇に雨水がたまり、視認性が損なわれることを防止するため、庇に付着した雨水が表面張力によって水玉状となることを防止するための親水性を持たせる手段（植毛加工部）を設け、庇に付着した雨水が植毛加工部へ吸い込まれるために水玉とならず、ＬＥＤ表示器の視認性が雨の影響をうけることがないようにしている。
【０００４】
また特許文献２には、複数の発光ダイオードが配置されると共に各発光ダイオードに照射される太陽光などの影響を少なくするルーバーを持ったＬＥＤ表示装置に係り、特に視野角を多くしつつ外来光の影響を少なくしたコントラストの高いＬＥＤ表示装置に係るものとして、複数の発光ダイオードを配置させると共に発光ダイオード間にルーバーを配置させたＬＥＤ表示器であって、ルーバーの断面形状がルーバーの上側先端部を曲面形状に形成すると共にその曲面形状の表面が微細な凹凸を有するＬＥＤ表示器が開示されている。
【０００５】
さらに特許文献３には、エラーやステータスの対象となるユニットの判別を容易にして，利便性を向上させるために、プリンタユニットおよびスキャナユニットがそれぞれ別体の筐体に納められた装置であり、スキャナユニットにはスキャナユニットおよびプリンタユニットのエラーおよびステータスの表示を行うと共に、画像形成装置全体の操作入力を行うための操作表示部が配置されており、プリンタユニットにはプリンタユニットのエラーおよびステータスの表示を行うＬＥＤ表示部が配置されている装置が開示されている。
【特許文献１】特許第３３６８６２１号公報
【特許文献２】特許第３２８７４５７号公報
【特許文献２】特開平８−２９７３８８号公報
【発明の開示】
【発明が解決しようとする課題】
【０００６】
しかしながら従来の技術では、装置が明るい室内灯の下に置かれた場合、ＬＥＤレンズ等の発光体に室内灯の光が反射してしまい、点灯していることがわかりづらいことがある。
【０００７】
またＬＥＤレンズ等の発光体が真上を向いていると、操作者側にＬＥＤ等の光が向かわず、点灯していることがわかりづらいことがある。
【０００８】
本発明は以上の点にかんがみ、視認性のよいＬＥＤ表示等の装置の表示部、画像形成装置の操作部、画像形成装置部を提供することを目的とする。
【課題を解決するための手段】
【０００９】
請求項１に係る本発明の装置の表示部は、前記装置の装置本体に、前記表示部と、操作部とを備え、前記表示部が、前記操作部より前記装置の装置本体の上側に設けられ、かつ、前記装置本体より上方からの光でできる影の中に前記表示部が位置するように、前記表示部の直上側に位置する前記装置本体の部位と前記表示部との間がえぐれている構造とし、前記操作部は、前記えぐれている部分内に配置せず、かつ、前記装置本体の前記表示部の直上側部位によって上方を覆われないように配置して発光表示を行うことを特徴とする。
【００１０】
請求項２に係るものは、請求項１の装置の表示部において、前記表示部を、前記装置本体の斜め上を向くように傾斜した部位に配置してなることを特徴とする。
【００１１】
請求項３に係るものは、請求項１の装置の表示部において、前記表示部を上縁側が若干上方に位置する斜め上向き状態に配置してなることを特徴とする。
【００１２】
請求項４に係るものは、請求項１から３の装置の表示部において、表示用にＬＥＤ等の発光体を備えたことを特徴とする。
【００１３】
請求項５に係る本発明の画像形成装置の操作部は、請求項１から４のいずれかの装置の表示部を備えたことを特徴とする。
【００１４】
請求項６に係る本発明の画像形成装置は、請求項１から４のいずれかの装置の表示部を備えたことを特徴とする。
【発明の効果】
【００１５】
本発明は、明るい室内灯の下でも表示部が本体の一部の影になることで、発光体が点灯していることがわかりやすくなるという効果がある。
【発明を実施するための最良の形態】
【００１６】
以下本発明を実施するための最良の形態を、図に示す実施例を参照して説明する。
【実施例１】
【００１７】
図１は本発明の実施例に係るインクジェットプリンタを正面右方向から見て示す斜視図、図２は同じく正面側面側から見て示す斜視図、図３は正面右方向の側面図である。
【００１８】
本実施例のインクジェットプリンタ１０は、図示のように、装置本体１１の正面右手側に位置する操作部１に、ＬＣＤ表示部２を上向き（本発明で上向きとは、水平上向きだけではなく、図示の実施例のように上縁側が上方に位置する斜め上向き状態をも含む。）にして正面側に向けて備え、装置本体１１の正面左側から順に、ブラック（Ｋ）、シアン（Ｃ）、マゼンタ（Ｍ）、イエロー（Ｙ）の各色のインクカートリッジ３を着脱できるインクカートリッジ装着部１２を略角箱状に備えている。もちろんインクカートリッジの配列はこの図示の順に限定されるものではない。なお詳細な図示は省略するが、装置本体１１内にはインクジェットプリンタとしての主要な構成を備え、インクカートリッジ装着部１２の図中左隣には、複数枚の用紙を積載可能なトレイ１３と、その上部を覆うように配した排紙部１４とが設けてある。
【００１９】
またインクカートリッジ装着部１２は、透明のインクカートリッジ扉４を備えており、閉めた状態でも内部のインクカートリッジ３が見えるようになっている。各色のインクカートリッジ３は、例えば図示の例では背表紙状の表示部３ａで色を表示しているが、その他の表示形態のものであっても良いことはもちろんである。なお、インクカートリッジ扉４については、完全に透明でなく、内部が見える程度の透明性のものでも良く、あるいは全体的には不透明でも内部を視認可能で内部のインクカートリッジ３を見分けることが可能な窓を備えるものであってもよい。またなお、図中４ａはインクカートリッジ扉４の把手、４ｂは開閉軸である。
【００２０】
さらに、装置本体１１の操作部１の上側に、ＬＥＤ表示部２０が設けてある。そして、図２、図３から良くわかるように、装置本体１１のＬＥＤ表示部２０の上側に位置する部位３０の下面側がえぐれた構造となっており、上方からの照明光でできる影の中にＬＥＤ表示部２０が入るようになっている。このように、影の中にＬＥＤ表示部２０を配置することで、ＬＥＤが点灯していることが使用者にわかりやすくなる。なお部位３０は、図３からわかるようにＬＥＤ表示部２０の直上となっているが、この配置には限定されない。ＬＥＤ表示部２０へ入射する光の方向に位置すればよい。
【００２１】
また図３に示ように、操作部１を斜め上を向くように傾斜配置することで、ＬＥＤ表示部２０は前方斜め上を向き、ＬＥＤの光（光軸４０）が部位３０によって上方を覆われ、光軸４０に沿う外光や、あるいはその周囲の外光がＬＥＤ表示部２０を直接照射しにくいようになっている。
【００２２】
そのため、本実施例の装置では、明るい室内灯の下でも、ＬＥＤ表示部２０が装置本体１１の一部（部位３０）の影になることで、点灯していることがわかりやすくなる。また操作者、使用側にＬＥＤの光が向かうことで、点灯していることがわかりやすくなる。
【００２３】
なお実施例としてはインクジェットプリンタの例のみ示して説明し、その他の例については説明を省略したが、レーザプリンタやその他の画像形成装置、またさらには同種の表示部を用いる装置においても同一ないしは類似の構成、配置をとって同様の視認性を奏する構成とすることが可能であるのはもちろんである。
【図面の簡単な説明】
【００２４】
【図１】本発明の実施例に係るインクジェットプリンタを正面右方向から見て示す斜視図
【図２】同じく正面側面側から見て示す斜視図
【図３】正面右方向の側面図
【符号の説明】
【００２５】
１：操作部
２：ＬＣＤ表示部
３：インクカートリッジ
３ａ：背表紙状の表示部
４：インクカートリッジ扉
４ａ：インクカートリッジ扉の把手
４ｂ：同開閉軸
５：残量表示
１０：インクジェットプリンタ
１１：装置本体
１２：インクカートリッジ装着部
１３：トレイ
１４：排紙部
２０：ＬＥＤ表示部
３０：ＬＥＤ表示部の上側に位置する部位
４０：ＬＥＤの光軸
【図１】
0004819494.tif 000002
【図２】
0004819494.tif 000003
【図３】
0004819494.tif 000004